(57)【要約】【課題】放電を利用した平面型光源装置において、収縮放電の発生を抑制し、一様に面状に広がる放電を比較的安定して発生することが可能な平面型光源装置及びこれを利用した表示装置を提供する。【解決手段】前面板１０１と背面板１０２とが対向して配置され、密閉されて成る容器１５０を有し、前面板１０１及び背面板１０２の内面の少なくとも一部に蛍光体１０７及び１０８が被着され、容器１５０内にはＸｅまたはＸｅを含む希ガスの混合ガスが封入され、容器１５０内に一対の主電極１０４及び１０５が配置され、これら一対の主電極１０４及び１０５の間の空間に補助電極１１０が設けられ、この補助電極１１０は、前面板１０１及び背面板１０２の内面から離間して配置された構成とする。【選択図】図２
2007035462.tif 000002
【特許請求の範囲】
【請求項１】
前面板と背面板とが対向して配置され、密閉されて成る容器を有し、
前記前面板及び背面板の内面の少なくとも一部に蛍光体が被着され、
前記容器内には希ガス又は希ガスを含む混合ガスが封入され、
前記容器内に一対の主電極が配置され、
前記一対の主電極の間の空間に補助電極が設けられ、
前記補助電極は、前記前面板及び背面板の内面から離間して配置されて成る
ことを特徴とする平面型光源装置。
【請求項２】
前記放電空間に配置された隔壁の内部に、前記補助電極の少なくとも一部が収容されて成る
ことを特徴とする請求項１記載の平面型光源装置。
【請求項３】
前記補助電極は、金属線に誘電体が被覆された構造体である
ことを特徴とする請求項１記載の平面型光源装置。
【請求項４】
前記補助電極は、前記一対の主電極とほぼ直交する方向に延在する形状とされて成る
ことを特徴とする請求項１記載の平面型光源装置。
【請求項５】
前記補助電極は、前記一対の主電極の間の空間において、分割して配置される
ことを特徴とする請求項１記載の平面型光源装置。
【請求項６】
前記補助電極は、前記一対の主電極の間の空間において、１以上の平面に広がる形状とされる
ことを特徴とする請求項１記載の平面型光源装置。
【請求項７】
表示パネルと、該表示パネルを照明する平面型光源装置とを備えて成る表示装置において、
前記平面型光源装置は、前面板と背面板とが対向して配置され、密閉されて成る容器を有し、
前記前面板及び背面板の内面の少なくとも一部に蛍光体が被着され、
前記容器内には希ガス又は希ガスを含む混合ガスが封入され、
前記容器内に一対の主電極が配置され、
前記一対の主電極の間の空間に補助電極が設けられ、
前記補助電極は、前記前面板及び背面板の内面から離間して配置されて成る
ことを特徴とする表示装置。
【発明の詳細な説明】
【技術分野】
【０００１】
本発明は、放電により発生する紫外線を利用して蛍光体を励起して面状に発光する平面型光源装置に関し、例えば液晶表示パネル用のバックライトや平面状の照明装置等に用いる平面型光源装置に関する。
【背景技術】
【０００２】
現在、薄型で低消費電力の画像表示装置として液晶表示装置が注目されている。この液晶表示装置に用いる液晶表示パネルは、液晶を透明基板で挟み、多数の画素を形成して、各画素を透過する光の量を独立に制御して画像を生成している。そして液晶表示パネル自体は発光しないので、液晶表示パネルの背面には、バックライトと呼ばれる光源装置が配置されている。
現在一般的なバックライトには、冷陰極放電管（ＣＣＦＬ：Cold Cathode Fluorescent Lamp）が用いられる。ＣＣＦＬは蛍光灯の一種であり、両端に配置される電極に対して高い電圧を印加して動作させる。電圧を印加すると、管内部では放電が生じて紫外線が生成され、管内面に配置された蛍光体が紫外線を可視光に変換する。こうして光が管の外部へ取り出される。
【０００３】
ところが、ＣＣＦＬは棒状の線光源であるため、液晶表示パネルのように平面を均一に光らせるためには、これらを多数、液晶表示パネルの背面に並べ、さらに面の明るさを均一にするために、拡散板と呼ばれるアクリルやポリカーボネート等からなる板材や、拡散シートと呼ばれるフィルム材を、液晶表示パネルとこの光源の間に配置する必要があった。
【０００４】
このように拡散板や拡散シートを用いる場合、簡便に光を拡散して均一化することができる反面、コストが高く、また紫外線によって劣化するとか、熱に弱いなどの問題を持っている。
また、均一な照明光を得るためには、光源と液晶表示パネルとの間に、光を十分拡散させるための空隙や透明な構造体が必要となり、したがって、液晶ＴＶやモニタ等の表示装置に用いる場合、薄型化を阻害するという問題がある。
【０００５】
これらの理由から、平面型光源装置として、ガス放電を利用した光源装置の開発が進められている。
この光源装置は、平行平板型の密閉された容器を有し、その内面に蛍光体を塗布した構成とされる。そしてこの容器の内側には表面が誘電体で覆われている一対の放電電極が設けられ、その間の放電空間にはＸｅ（キセノン）とＡｒ（アルゴン）の混合ガスが封入されている。このような構造による平面型光源装置は、２つ以上の電極の間に高周波電圧を印加することにより放電空間内にガス放電を発生させて紫外線を生成させ、紫外線によって蛍光体を励起させて可視光を発生して外部に放射させる（例えば特許文献１参照。）。
【０００６】
【特許文献１】特開２００５−５０６６号公報
【発明の開示】
【発明が解決しようとする課題】
【０００７】
上述した構造を持つ平面型光源装置において、その発光効率を上昇させるためには、一般に電極間距離を大きくとることが望ましい。しかしながら、電極間距離を大きくとった状態で放電を始動させるためには、高い電圧を印加しなければならず、大きく高価な電源を要するとか、高い電圧を扱うがために安全性、信頼性の面で問題となる恐れがある。
【０００８】
また従来の平面型光源装置では、単純な高電圧波形を印加しただけでは、放電が空間内に一様に広がらず、収縮と呼ばれる雷のような筋状の放電となる問題があった。
このような収縮放電は、発光輝度を上げようとして入力電力を大きくする場合に特に顕著に現れ、始動直後から大電力を投入した場合は高い確率で収縮放電が発生してしまう。この収縮放電が発生してしまうと、一様に広がる放電状態に戻すことはできず、一旦投入電力を停止しないと放電状態に戻すことはできない。
さらにこの収縮放電をそのままにしておくと、アーク放電という強い放電状態へ移行することがあり、電極を磨耗させたり破損させたりしてしまうという問題があった。
【０００９】
以上の問題に鑑みて、本発明は、放電を利用した平面型光源装置において、収縮放電の発生を抑制し、一様に面状に広がる放電を比較的安定して発生することが可能な平面型光源装置及びこれを利用した表示装置を提供することを目的とする。
【課題を解決するための手段】
【００１０】
上記課題を解決するため、本発明による平面型光源装置は、前面板と背面板とが対向して配置され、密閉されて成る容器を有し、前面板及び背面板の内面の少なくとも一部に蛍光体が被着され、記容器内にはＸｅなどの希ガス又は希ガスを含む混合ガスが封入され、容器内に一対の主電極が配置され、これら一対の主電極の間の空間に補助電極が設けられ、この補助電極は、前面板及び背面板の内面から離間して配置された構成とする。
また本発明は、上述の平面型光源装置において、放電空間に配置された隔壁の内部に、補助電極の少なくとも一部が収容される構成とする。
【００１１】
更に、本発明は、表示パネルと、この表示パネルを照明する平面型光源装置とを備えて成る表示装置において、平面型光源装置として、上述の構成とするものである。すなわちこの平面型光源装置は、前面板と背面板とが対向して配置され、密閉されて成る容器を有し、前面板及び背面板の内面の少なくとも一部に蛍光体が被着され、容器内にはＸｅなどの希ガス又は希ガスを含む混合ガスが封入され、容器内に一対の主電極が配置され、これら一対の主電極の間の空間に補助電極が設けられ、この補助電極は、前面板及び背面板の内面から離間して配置された構成とする。
【００１２】
上述したように本発明の平面型光源装置においては、補助電極を主電極の間の空間、すなわち放電空間内に配置して、特に前面板及び背面板の内面から離間して配置する構成とするものである。
このように補助電極を放電空間内に設けることによって、後述するように、効果的に収縮放電の発生を抑制することができる。
【００１３】
また特に、前面板と背面板との対向する間隔を保持するための隔壁の内部にこの補助電極が収容される構成とすることによって、補助電極をガラス等の誘電体で覆った構造体がそれ自体で放電空間を保つための隔壁としても作用することができるので、平面型光源装置を容易に作成することができる。
また、放電空間を比較的大面積とするとか、ガラス等より成る容器の厚さを変更するなど、隔壁をより多数配置する必要が生じる場合でも、補助電極がこの隔壁内に収容されるため、放電空間内に容易に配置させることができることとなる。したがって、補助電極の電位を適切に放電空間に与えることができて、収縮放電の発生を効果的に抑制することができる。
【発明の効果】
【００１４】
以上説明したように、本発明によれば、収縮放電の発生を抑制し、安定したガス放電による照明が可能な平面型光源装置及びこれを用いた表示装置を提供することができる。
【発明を実施するための最良の形態】
【００１５】
以下本発明を実施するための最良の形態の例を説明するが、本発明は以下の例に限定されるものではない。
〔１〕第１の実施形態例
図１は、本発明による平面型光源装置の一実施形態例の前面板側から見た概略平面構成図である。また、図２及び図３に、図1中破線ｘ及びｙで示す断面における概略断面構成図をそれぞれ示す。
図1及び図２に示すように、本発明による平面型光源装置１００は、ソーダガラス、板ガラス等の平面状の前面板１０１及び背面板１０２が略平行に対向されて、その周縁部が封着ガラス等の密閉材１１１により気密に密閉された容器１５０により構成される。
前面板１０１の内側表面には、図１に示すように、一対の主電極１０４及び１０５が、前面板１０１の対向する辺縁に沿ってほぼ平行に対向して配置される。この主電極１０４及び１０５は、前面板１０１の内面上に、印刷や蒸着等によって形成される。
【００１６】
そしてこれらの主電極１０４と１０５の上には、誘電体層１０６が印刷や蒸着、あるいはスパッタ等を用いて形成され、主電極１０４及び１０５を覆う構造となっている。またこの誘電体層１０６の上には、放電を容易に起こし易くするため、ＭｇＯ等の仕事関数の低い材料等が形成されていてもよい。
【００１７】
前面板１０１の内側の誘電体層１０６上と、背面板１０２の内側表面には、蛍光体１０７及び１０８が塗布等により被着される。
この蛍光体１０７は、容器内で発せられた可視光を取り出すために薄く、蛍光体１０８は、十分に光を発生させ且つ可視光を反射させるために厚く塗布される。
また、光を反射させて有効利用するために、蛍光体１０８の下層に酸化チタン等でできた光反射膜を塗布等により介在させてもよい。
【００１８】
そして、図２及び図３に示すように、前面板１０１と背面板１０２の間隔を適切に保つ目的で、ガラス等より成る隔壁１０９が設けられる。この隔壁１０９は、例えば主電極１０４及び１０５が延長する方向と直交する方向に延長する棒状の形状としてもよい。
この隔壁１０９により容器１５０内の空間、すなわち放電空間１０３を確保しながら、その周囲を封着ガラス等の密閉材１１１により上述したように密閉されて平面型光源装置１００が構成される。
【００１９】
この容器１５０内には、図示しない封着管などを利用して、密閉後にＸｅなどの希ガスや、又は希ガスを含む混合ガス、例えばＸｅガスが封入される。
【００２０】
そして本発明の平面型光源装置１００においては、容器１５０内の空間を確保する隔壁１０９の中に金属線等より成る補助電極１１０を収容する構成とする。
補助電極１１０は、図示の例においては、放電空間１０３内では隔壁１０９内に全て収容され、密閉部１１１の外側では隔壁１０９から露出して外部に突出する構成とした場合を示す。
補助電極１１０はその他放電空間１０３内において一部が露出されていてもよい。
【００２１】
次に、本発明による平面型光源装置の動作について説明する。
図４は、図１〜図３に示す本発明の平面型光源装置に、駆動回路等を接続した状態の概略構成図を示す。図４に示すように、主電極１０４及び１０５へ駆動回路２０１を接続する。また、補助電極１１０は、抵抗あるいはコンデンサ、コイル等の電気抵抗／容量部２０２を介して、駆動回路の接地電位２０３に接続する。
【００２２】
このように接続した状態で、駆動回路２０１から主電極１０４及び１０５間に高電圧パルスを印加して、放電空間１０３に封入した希ガスに放電を生じさせる。
放電中に例えばＸｅガスから発せられた紫外光は、蛍光体１０７及び１０８に到達して可視光に変換される。この時、蛍光体１０８の下に反射膜が設けられていると、背面板１０２に向けて出射する可視光が反射され、前面板１０１側に向けて出射する光と合わせて、大量の光を取り出すことができる。
この平面型光源装置１００において、主電極１０４及び１０５の間隔を大きくするほど、その発光効率は高まる。
【００２３】
なお、現在薄型表示装置として注目されるプラズマディスプレイパネル（ＰＤＰ）の発光効率は、数ｌｍ／Ｗと比較的低い。これは、電極間隔が１ｍｍ以下であることによる。
これに対し、一般の蛍光灯や液晶パネルのバックライトとして利用される蛍光ランプは、その電極間隔が数１０ｃｍ以上と大きいため、４０ｌｍ／Ｗ以上の高い発光効率が得られる。
しかしながら、この主電極の間隔をむやみに広げてしまうと、放電を起こすための印加電圧が高くなってしまうことが知られている。また、放電の安定性も損なわれ、前述した収縮と呼ばれる雷のような放電状態に移行し易くなり、均一な発光が得られなくなってしまう。
【００２４】
これに対し、本発明におけるように、主電極１０４及び１０５の間に補助電極１１０を配置することによって、放電を効果的に広げることができ、正常に始動する割合も増加させることができる。
【００２５】
また、発光量を増加させようとして、密閉容器内部に封入されるＸｅガスの圧力を高めた場合も同様に、放電収縮が生じ易いものとなってしまう。
この対策のひとつとして放電空間を広げる方法がある。補助電極を容器の外側に設ける場合は、このように放電空間を広げると、主電極と補助電極との間隔が離間してしまうが、本発明においては、放電空間の内部に補助電極を配置することから、主電極と補助電極との間の距離を離間させることなく、放電空間の増大により補助電極の効果が薄れてしまうことを回避できる。
【００２６】
なおこの場合、補助電極を透明にするなどして、前面板の外側に補助電極を配置する構成も考えられるが、光源装置の大型化に伴い、その強度確保のために前面板の厚さを大とする必要が生じると、補助電極が主電極から離間してしまうので、補助電極の効果が薄れてしまう。本発明によれば、このようなことも回避することができる。
【００２７】
以上のことから、本発明における補助電極１１０は、放電空間１０３の大きさに関わらず、また、容器１５０を構成するガラス等の厚さにも依存せずに、常に適切な電位状態を放電空間１０３内に与えることができ、放電収縮を起こしにくい状態を保つことができることがわかる。
補助電極１１０は、ガラス等でコーティングした構造体として隔壁１０９を構成するので、この隔壁１０９によって、密閉容器内の放電空間１０３を常に最適な容量に保つとともに、補助電極１１０を設ける位置が隔壁１０９により制限されない、という利点もある。
【００２８】
また、ＰＤＰにおけるように、サンドブラスト法や厚膜印刷法等によって作成する従来の隔壁形成方法と比べて、本発明においては、予め補助電極１１０を構成する金属線をガラス等により埋め込んで作製しておいた隔壁１０９を、容器１５０の製造時に例えば背面板１０２上に載置してから前面板１０１で覆い、周囲を密閉材１１１により封着等により密閉するという簡単な方法で作製することが可能であり、容易に補助電極を設ける構成の平面型光源装置を製造することができる。
【００２９】
〔２〕第２の実施形態例
次に、図５を参照して、本発明による平面型光源装置の第２の実施形態例について説明する。図５は、この平面型光源装置１００の前面板側から見た概略平面構成図である。図５において、図１と対応する部分には同一符号を付して重複説明を省略する。
この例においては、補助電極１１０を、主電極１０４及び１０５の延長方向と略直交する方向に延在する隔壁１０９内に埋め込むものであるが、その形状を、一対の主電極１０４及び１０５の間の空間において、分割して配置する構成とするものである。
【００３０】
平面型光源装置１００が大型化した場合、あるいは主電極１０４と１０５の間隔を広げた場合に、補助電極１１０が１つの電位を持つと、逆に安定した放電を阻害する場合がある。
これに対し、図５に示すように、補助電極１１０が分割された形状とする場合は、分割されたそれぞれの補助電極１１０が容量結合し、主電極１０４及び１０５との間で適当な電位勾配を持って介在するため、安定した放電が実現できる。
この場合、補助電極１１０は、その一部、例えば端部１１０Ａを接地電位３０３に接続してもよいし、接続しなくてもよい。
【００３１】
〔３〕第３の実施形態例
次に、図６を参照して、本発明による平面型光源装置の第３の実施形態例について説明する。図６は、この平面型光源装置１００の前面板側から見た概略平面構成図である。図６において、図１と対応する部分には同一符号を付して重複説明を省略する。
この例においては、補助電極１１０を、主電極１０４及び１０５の延長方向と略直交する方向に延在する隔壁１０９内に埋め込むものであり、かつその形状を、一対の主電極１０４及び１０５の間の空間において、２次元状に配置される構成とするものである。
このように、２次元状、すなわち補助電極１１０を配置する平面内に広がるいわばメッシュ状などの形状とすることによって、より安定して放電を発生させ、収縮放電の発生を抑制することができる。
【００３２】
〔４〕第４の実施形態例
次に、図７を参照して、本発明による平面型光源装置の第４の実施形態例について説明する。図７は、この平面型光源装置１００の前面板側から見た概略平面構成図である。図７において、図１と対応する部分には同一符号を付して重複説明を省略する。
この例においては、補助電極１１０を、主電極１０４及び１０５の延長方向と略直交する方向に延在する隔壁１０９内に分断して埋め込むものであり、かつ分断された補助電極１１０の一部を、主電極１０４及び１０５の延長する方向に延在させて、いわば放電空間１０３において、前面板１０１に略平行な平面に広がる２次元状の形状として構成するものである。
このように、２次元状のいわばメッシュ状の形状として補助電極１１０を構成することによって、より安定して放電を発生させ、収縮放電の発生を抑制することができる。
また、補助電極１１０の形状は、２次元状に限定されることなく、その他放電空間１０３内に１以上の平面に広がるいわば３次元状の形状としてもよい。
更にこの場合、メッシュ状の形状とした補助電極１１０の一部を隔壁１０９から露出させる構成とした例を示す。このように、補助電極１１０の一部が放電空間１０３に露出していても、同様に収縮放電の発生を抑制することができる。
このように、補助電極１１０の一部を露出する構成は、図７の例に限定されるものではなく、その他図１、図５又は図６に示す例などにおいて、一部が露出する形状であってもよい。
【００３３】
なお、本発明は、上述の各実施形態例に限定されることなく、その他種々の変形、応用が可能である。
例えば、容器１５０は、側面が盛り上がった容器型の前面板又は背面板を用いて、他方の板状の背面板又は前面板とガラス封着等により密閉した構成としてもよい。また、前面板及び背面板とは別に、ガラス板等より成る側面を用いてこれらを封着して容器とすることもできる。
【００３４】
更に、封入する放電ガスとして、Ｘｅガスなどの希ガスの他、ＨｇとＡｒガス、ＮｅとＡｒガス、ＮｅとＡｒとＸｅガスなどの希ガスを含む混合ガスであってもよい。補助電極１１０も、必ずしも接地電位３０３に接続する必要はなく、高電圧パルスの中間電位にしても同様の効果が得られる。
【００３５】
以上説明した本発明の平面型光源装置によれば、補助電極を設けることによって、収縮放電の発生を抑制し、安定した放電による発光を行うことが可能となる。
また、補助電極の電位を主電極の駆動回路の接地電位に適当な抵抗又は容量、もしくはこれらを含む回路を介して接続することにより、始動開始時には、主電極と補助電極間で放電が生じ、更にこれが主電極間の放電に移行するので、低い電圧で放電を開始させることが容易となる。
また、上述した種々の理由により、放電空間を広げるとか、又は装置の大型化を図る場合に、補助電極と主電極との間の間隔を増大化することなく、適切な電位状態を放電空間内に与えることができ、放電収縮を起こしにくい、安定した放電状態を保つことができる。
さらに補助電極をガラス等より成る隔壁で覆われる構造とすることにより、この構造自体が放電空間を保持するための隔壁として作用するとともに、隔壁の配置により限定されることなく補助電極を配置することができる。更に、その形成方法としては、予め電極線を埋め込んだ隔壁構造体を用意しておけば、これらを容器内に載置するのみの極めて容易な方法をもって、組み立て、製造が可能であるという利点を有する。
【００３６】
〔５〕第５の実施形態例
次に、本発明の平面型光源装置を用いた表示装置の一実施形態例について、図８〜図１０を参照して説明する。この例においては、表示装置として、透過型のカラー液晶表示パネルを光変調部として用いたカラー液晶表示装置に適用した場合を示す。
図８の概略分解斜視図に示すように、この表示装置３００は、透過型のカラー液晶表示パネル３１０と、このカラー液晶表示パネル３１０の背面側に設けられた本発明構成の平面型光源装置１００を含む光源部３４０とより構成される。また、図示しないが、この表示装置３００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００３７】
図８に示すように、透過型のカラー液晶表示パネル３１０は、ガラス等で構成された２枚の透明な基板（ＴＦＴ基板３１１、対向電極基板３１２）を互いに対向配列させ、その間隙に、例えば、ツイステッドネマチック（ＴＮ）液晶を封入した液晶層３１３を設けた構成となっている。ＴＦＴ基板３１１には、マトリックス状に配列された信号線３１４と、走査線３１５と、この信号線３１４、走査線３１５の交点に配列されたスイッチング素子としての薄膜トランジスタ３１６と、画素電極３１７とが形成されている。薄膜トランジスタ３１６は、走査線３１５により、順次選択されると共に、信号線３１４から供給される映像信号を、対応する画素電極３１７に書き込む。一方、対向電極基板３１２の内表面には、対向電極３１８及びカラーフィルタ３１９が形成されている。
【００３８】
カラーフィルタ３１９は、各画素に対応した複数のセグメントに分割されている。例えば、図９に示すように、３原色である赤色フィルタＣＦＲ、緑色フィルタＣＦＧ、青色フィルタＣＦＢの３つのセグメントに分割されている。カラーフィルタ３１９の配列パターンは、図９に示すようなストライプ配列の他に、図示しないが、デルタ配列、正方配列などがある。
【００３９】
再び、図８を用いて、表示装置３００の構成について説明をする。この表示装置３００は、このような構成の透過型のカラー液晶表示パネル３１０を２枚の偏光板３３１及び３３２で挟み、光源部３４０により背面側から白色光を照射した状態で、アクティブマトリックス方式で駆動することによって、所望のフルカラー映像を表示させることができる。
平面型光源装置１００を含む光源部３４０は、上述のカラー液晶表示パネル３１０を背面側から照明する。光源部３４０の光出射側、すなわち平面型光源装置１００とカラー液晶表示パネル３１０との間には、拡散板３４１、拡散シート３４２、プリズムシート３４３及び偏光変換シート３４４等の光学機能シート群３４５を備えた構成としてもよい。
拡散板３４１は、平面型光源装置１００から出射された光を内部拡散させることで、面発光における輝度の均一化を行う。
【００４０】
また一般に、光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、光源部３４０から面発光された光をカラー液晶表示パネル３１０の照明に最適な光学特性を有する照明光に変換するために設けられている。したがって、光学機能シート群３４５の構成は、上述した拡散シート３４２、プリズムシート３４３、偏光変換シート３４４に限定されるものではなく、様々な光学機能シートを用いることができる。
なお、拡散板３４１を設けずに、平面型光源装置１００の光出射面上に光学機能シート群３４５を設ける構成としてもよい。この場合は、表示装置３００全体の薄型化を図ることができる。
【００４１】
このような構成の表示装置３００は、例えば、図１０に示す駆動回路４００により駆動される。この駆動回路４００は、カラー液晶表示パネル３１０や、平面型光源装置１００の駆動電源を供給する電源４１０、カラー液晶表示パネル３１０を駆動するＸドライバ回路４２０及びＹドライバ回路４３０、外部から供給される映像信号や、表示装置３００の図示しない受信部で受信され、映像信号処理部で処理された映像信号が、入力端子４４０を介して供給されるＲＧＢプロセス処理部４５０、このＲＧＢプロセス処理部４５０に接続された画像メモリ４６０及び制御部４７０、平面型光源装置１００を駆動制御する光源部駆動制御部４８０などを備えている。
【００４２】
この駆動回路４００において、入力端子４４０を介して入力された映像信号は、ＲＧＢプロセス処理部４５０により、クロマ処理などの信号処理がなされ、さらに、コンポジット信号からカラー液晶表示パネル３１０の駆動に適したＲＧＢセパレート信号に変換されて、制御部４７０に供給されるとともに、画像メモリ４６０を介してＸドライバ４２０に供給される。
また、制御部４７０は、上記ＲＧＢセパレート信号に応じた所定のタイミングで、Ｘドライバ回路４２０及びＹドライバ回路４３０を制御して、上記画像メモリ４６０からの映像信号とともにＸドライバ回路４２０に供給されるＲＧＢセパレート信号で、カラー液晶表示パネル３１０を駆動することにより、上記ＲＧＢセパレート信号に応じた映像を表示する。
【００４３】
光源部駆動制御部４８０は、電源４１０から供給される電圧から、パルス幅変調（ＰＷＭ）信号を生成し、上述の図４に示す平面型光源装置１００の主電極１０４及び１０５に高圧パルスを印加する駆動回路２０１を駆動する。所望の輝度を得るように高圧パルスを調整しながら、電圧を印加してもよい。
ユーザインターフェース５００は、上述した図示しない受信部で受信するチャンネルを選択したり、同じく図示しない音声出力部で出力させる音声出力量を調整したり、カラー液晶表示パネル３１０を照明する平面型光源装置１００からの白色光の輝度調節などを実行するためのインターフェースである。
例えば、ユーザインターフェース５００から、ユーザが輝度調節をした場合には、駆動回路４００の制御部４７０を介して光源部駆動制御部４８０に輝度制御信号が伝わる。光源部駆動制御部４８０は、この輝度制御信号に応じて、平面型光源装置１００の主電極に印加する高圧パルスを変調して、駆動回路２０１を制御することになる。
【００４４】
前述したように、本発明の平面型光源装置を用いた表示装置においては、ＣＣＦＬなどの蛍光管による光源装置を用いる場合と比べてより均一に表示パネルを照明することができるとともに、その放電にあたって収縮放電を発生することが抑制されることから、安定した均一な照明により良好な画像等の表示を行うことができる。
なお、本発明の表示装置は、上述の第５の実施形態例に限定されるものではなく、透過型表示パネルやカラーフィルタ、光学機能シート群などの各部の材料構成、駆動回路等の構成など、本発明構成を逸脱しない範囲において、種々の変形、変更が可能であることはいうまでもない。
【図面の簡単な説明】
【００４５】
【図１】本発明による平面型光源装置の一実施形態例の概略平面構成図。
【図２】本発明による平面型光源装置の一実施形態例の概略断面構成図である。
【図３】本発明による平面型光源装置の一実施形態例の概略断面構成図である。
【図４】本発明による平面型光源装置の一実施形態例の回路接続状態を示す概略構成図である。
【図５】本発明による平面型光源装置の他の実施形態例の概略平面構成図である。
【図６】本発明による平面型光源装置の他の実施形態例の概略平面構成図である。
【図７】本発明による平面型光源装置の他の実施形態例の概略平面構成図である。
【図８】本発明による表示装置の一実施形態例の概略分解斜視図である。
【図９】本発明による表示装置の一実施形態例の要部の概略平面構成図である。
【図１０】本発明による表示装置の一実施形態例のブロック構成図である。
【符号の説明】
【００４６】
１０１．前面板、１０２．背面板、１０３．放電空間、１０４．主電極、１０５．主電極、１０６．誘電体層、１０７．蛍光体、１０８．蛍光体、１０９．隔壁、１１０．補助電極、１１１．封着ガラス、１５０．容器、２０１．駆動回路、２０２．電気抵抗／容量部、２０３．接地電位、３００．表示装置、３１０．カラー液晶表示パネル、３４０．光源部、３４５．光学機能シート群、駆動回路４００
【図１】
2007035462.tif 000003
【図２】
2007035462.tif 000004
【図３】
2007035462.tif 000005
【図４】
2007035462.tif 000006
【図５】
2007035462.tif 000007
【図６】
2007035462.tif 000008
【図７】
2007035462.tif 000009
【図８】
2007035462.tif 000010
【図９】
2007035462.tif 000011
【図１０】
2007035462.tif 000012